(57)【要約】【課題】ロール交換台車をロールの軸方向と直交する水平方向にガイドする左右一対のガイドレールの近傍に架構柱が配置されている場合でもロールの交換作業を１台のロール交換台車で行うことのできるロール交換装置を提供する。【解決手段】ロール交換装置４のロール交換台車７に、台車７の移動方向と直角に且つ水平に配置された上下一対のロール交換用固定レール９ａ，９ｂと、固定レール９ａ，９ｂの両端側に配置されたロール交換用可動レール１１ａ〜１１ｄと、固定レール９ａ，９ｂと可動レール１１ａ〜１１ｄの端部同士を水平な軸回りに連結するレール連結軸１２ａ〜１２ｄと、レール連結軸１２ａ〜１２ｄを支点としてロール交換用可動レール１１ａ〜１１ｄをロール交換用固定レール９ａ，９ｂの中央部側に折り畳むレール折り畳み機構１３とを設けた。【選択図】図１
2013010980.tif 000002
【特許請求の範囲】
【請求項１】
金属帯を上下方向から挟持する上下一対のロールを交換するときに用いられるロール交換装置であって、
前記ロールを水平に且つ該ロールの軸方向に移動可能に支持するロール支持装置の片側に配置されたロール交換台車と、該ロール交換台車を前記ロールの軸方向と直交する水平方向にガイドするガイドレールとを有し、
前記ロール交換台車の移動方向と直角に且つ水平に配置された上下一対のロール交換用固定レールと、該ロール交換用固定レールの少なくとも一端側に配置されたロール交換用可動レールと、前記ロール交換用固定レールと前記ロール交換用可動レールの端部同士を水平な軸回りに連結するレール連結軸と、該レール連結軸を支点として前記ロール交換用可動レールを前記ロール交換用固定レールの中央部側に折り畳むレール折り畳み機構とを、前記ロール交換台車が有することを特徴とするロール交換装置。
【請求項２】
前記レール折り畳み機構が前記ロール交換台車に設けられたワイヤーロープ巻取機と、該ワイヤーロープ巻取機により巻き取られるワイヤーロープと、該ワイヤーロープの先端部を前記ロール交換用可動レールに連結する連結部材とを有して構成されていることを特徴とする請求項１に記載のロール交換装置。
【発明の詳細な説明】
【技術分野】
【０００１】
本発明は、熱延鋼帯や冷延鋼帯、表面処理鋼帯などの金属帯を連続的に処理する金属帯連続処理ラインで用いられるロール交換装置に関するものである。
【背景技術】
【０００２】
熱延鋼帯や冷延鋼帯、表面処理鋼帯を酸洗処理する酸洗ライン、洗浄を行う洗浄ライン、めっきを行うめっきライン等では、鋼帯の表面に付着した酸洗液、洗浄液、めっき液、リンス等の液を除去するため、ラインの出側に上下一対のリンガーロールが配置されている。これらのリンガーロールは、通常、金属からなる芯ロールの周面部を覆う被覆体がゴム等の弾性材で形成されているため、リンガーロールを鋼帯の表面に接触させるとリンガーロールの周面部が次第に磨耗する。そして、鋼帯との接触によりリンガーロールの周面部が磨耗すると、リンガーロールの間を通過した鋼帯の表面に液残りが発生しやすくなるため、磨耗したリンガーロールを新しいものと交換する必要がある。
【０００３】
リンガーロールの交換方法としては、ポーターバーと呼ばれるロール保持部材でリンガーロールの端部を水平に保持した後、天井クレーンによりポーターバーをリンガーロールの軸方向に水平移動させてリンガーロールの交換を行う方法が知られている（特許文献１参照）。
このような方法によると、鋼帯を切断することなくリンガーロールの交換を行うことが可能であるが、リンガーロールの間を通過する鋼帯のパスラインが床面から非常に高い位置にある場合には、天井クレーンの吊り代を確保することができないなどの問題がある。
【０００４】
そこで、リンガーロールを水平に且つ同ロールの軸方向に移動可能に支持するロール支持装置の片側に配置されたロール交換台車と、このロール交換台車をリンガーロールの軸方向と直交する水平方向にガイドする左右一対のガイドレールとからなるロール交換装置を用いてリンガーロールの交換を行うことが一般に実施されている。
【先行技術文献】
【特許文献】
【０００５】
【特許文献１】実公平５−３８０５６号公報
【発明の概要】
【発明が解決しようとする課題】
【０００６】
上記の方法によると、天井クレーンを使用しなくてもリンガーロールの交換を行うことが可能である。しかしながら、図６に示すように、ガイドレール８ａ，８ｂの両側あるいは一方側に架構柱１０が配置されている場合には、ロール交換台車７の上に搭載されたロール交換用レール９が架構柱１０と干渉してしまうため、ロール交換台車７をリンガーロール１の軸方向と直交する水平方向に移動させることができなくなり、その結果、リンガーロールの交換作業を１台のロール交換台車で行うことができなくなるという問題があった。
【０００７】
ロール交換用レール９をロール交換台車７に対して鉛直な軸回りに回転可能に設けたとしても、図６に示すように、ロール交換用レール９が架構柱１０と干渉してしまうおそれがあった。
本発明は、このような問題点に鑑みてなされたものであり、ロール交換台車をロールの軸方向と直交する水平方向にガイドする左右一対のガイドレールの両側に架構柱が配置されている場合でもロールの交換作業を１台のロール交換台車で行うことのできるロール交換装置を提供することを目的とするものである。
【課題を解決するための手段】
【０００８】
上記目的を達成するために、請求項１の発明は、金属帯を上下方向から挟持する上下一対のロールを交換するときに用いられるロール交換装置であって、前記ロールを水平に且つ該ロールの軸方向に移動可能に支持するロール支持装置の片側に配置されたロール交換台車と、該ロール交換台車を前記ロールの軸方向と直交する水平方向にガイドするガイドレールとを有し、前記ロール交換台車の移動方向と直角に且つ水平に配置された上下一対のロール交換用固定レールと、該ロール交換用固定レールの少なくとも一端側に配置されたロール交換用可動レールと、前記ロール交換用固定レールと前記ロール交換用可動レールの端部同士を水平な軸回りに連結するレール連結軸と、該レール連結軸を支点として前記ロール交換用可動レールを前記ロール交換用固定レールの中央部側に折り畳むレール折り畳み機構とを、前記ロール交換台車が有することを特徴とする。
【０００９】
請求項２の発明は、前記レール折り畳み機構が前記ロール交換台車に設けられたワイヤーロープ巻取機と、該ワイヤーロープ巻取機により巻き取られるワイヤーロープと、該ワイヤーロープの先端部を前記ロール交換用可動レールに連結する連結部材とを有して構成されていることを特徴とする。
【発明の効果】
【００１０】
本発明によれば、ロール交換台車に設けたレール折り畳み機構によりロール交換用可動レールをロール交換用固定レールの中央部側に折り畳むことが可能となり、ロール交換台車の走行軌道であるガイドレールの外側近傍に架構柱が存在する場合に、リンガーロールの軸方向と直交する水平方向にロール交換台車を移動させてもロール交換用可動レールが架構柱と干渉することを防止でき、左右一対のガイドレールの両側あるいは片側に架構柱が配置されている場合でもロールの交換作業を１台のロール交換台車で行うことができる。
【図面の簡単な説明】
【００１１】
【図１】本発明の一実施形態に係るロール交換装置を示す正面図である。
【図２】図２は図１のＡ−Ａ断面を示す図である。
【図３】図１に示すロール交換装置を示す側面図である。
【図４】図１に示すロール交換装置を示す平面図である。
【図５】本発明の一実施形態に係るロール交換装置の作用を説明するための図である。
【図６】従来技術の問題点を説明するための図である。
【発明を実施するための形態】
【００１２】
以下、図面を参照して本発明の実施形態について説明する。
図１は本発明の一実施形態に係るロール交換装置を示す正面図、図２は図１のＡ−Ａ断面を示す図、図３は図１に示すロール交換装置を示す側面図、図４は図１に示すロール交換装置を示す平面図である。図中符号１ａ，１ｂはリンガーロール、２はリンガーロール１ａ，１ｂの両端部を回転自在に支持するロール軸受、３はロール軸受２を介してリンガーロール１ａ，１ｂを水平に支持するロール支持装置、４はロール支持装置３により支持されたリンガーロール１ａ，１ｂを交換するときに用いられるロール交換装置を示し、ロール支持装置３は、ロール軸受２に付設された複数のローラ５を介してリンガーロール１ａ，１ｂを同ロールの軸方向に移動可能に支持する上下一対のロール支持レール６ａ，６ｂを有している。
【００１３】
ロール交換装置４はロール交換台車７と、このロール交換台車７をリンガーロール１ａ，１ｂの軸方向と直交する水平方向にガイドするガイドレール８ａ，８ｂとからなり、ロール交換台車７はロール支持装置３の片側（例えば図１中左側）に配置されている。
ロール交換台車７は、ロール支持装置３のロール支持レール６ａ，６ｂと同じ部材からなる上下一対のロール交換用固定レール９ａ，９ｂを有している。これらのロール交換用固定レール９ａ，９ｂはロール支持装置３のロール支持レール６ａ，６ｂからリンガーロール１ａ，１ｂを受け取ったり、新しいリンガーロールをロール支持装置３のロール支持レール６ａ，６ｂに受け渡したりするためのものであり、ロール交換台車７の移動方向と直角に且つガイドレール８ａ，８ｂの外側に配置された２つの架構柱１０の間隔より短い長さで水平に配置されていると共に、ロール支持レール６ａ，６ｂと同じ高さ位置に設けられている。
【００１４】
また、ロール交換台車７はロール交換用固定レール９ａ，９ｂと同じ部材からなるロール交換用可動レール１１ａ，１１ｂ，１１ｃ，１１ｄを有し、これらのロール交換用可動レール１１ａ〜１１ｄはロール交換用固定レール９ａ，９ｂの両端側に配置されている。
ロール交換台車７は、また、ロール交換用固定レール９ａ，９ｂとロール交換用可動レール１１ａ〜１１ｄの端部同士を水平な軸回りに連結するレール連結軸１２ａ，１２ｂ，１２ｃ，１２ｄを有し、ロール交換用可動レール１１ａ〜１１ｄはレール連結軸１２ａ〜１２ｄの軸回りに回動自在となっている。
【００１５】
ロール交換台車７は、また、レール折り畳み機構１３を有している。このレール折り畳み機構１３はレール連結軸１２ａ〜１２ｄを支点としてロール交換用可動レール１１ａ〜１１ｄをロール交換用固定レール９ａ，９ｂの中央部側に折り畳むものであり、例えば手動式のワイヤーロープ巻取機１４と、このワイヤーロープ巻取機１４により巻き取られる４本のワイヤーロープ１５と、これらワイヤーロープ１５の一端部をロール交換用可動レール１１ａ〜１１ｄに連結する４つの連結部材１６とから構成されている。
【００１６】
このようなロール交換装置４を用いてリンガーロール１ａ，１ｂを新しいものと交換する場合は、ロール交換台車７のロール交換用固定レール９ａ，９ｂがリンガーロールを交換しようとするスタンドのロール支持装置３のロール支持レール６ａ，６ｂと一直線となる位置にロール交換台車７を移動させる。移動に際しては、架構柱１０とロール交換用可動レール１１ａ〜１１ｄとが干渉しないよう、ロール交換用可動レール１１ａ〜１１ｄは中央部側に折り畳んでおく。その後、ロール交換用可動レール１１ａ〜１１ｄを水平に倒し、ロール支持装置３により支持されたリンガーロール１ａ，１ｂを図１中左方に移動させると、図１に二点鎖線で示されるように、リンガーロール１ａ，１ｂがロール支持装置３のロール支持レール６ａ，６ｂからロール交換台車７のロール交換用固定レール９ａ，９ｂおよびロール交換用可動レール１１ａ〜〜１１ｄに乗り移る。この状態でリンガーロール１ａ，１ｂをクレーンに吊り上げ、新しいものと交換することができる。
【００１７】
図５は本発明の一実施形態に係るロール交換装置の作用を説明するための図であり、上述した本実施形態では、ロール支持装置３の片側に配置されたロール交換台車７に、ロール交換台車７の移動方向と直角に且つガイドレール８ａ，８ｂの外側に配置された２つの架構柱１０の間隔より短い長さで水平に配置された上下一対のロール交換用固定レール９ａ，９ｂと、ロール交換用固定レール９ａ，９ｂの両端側に配置された４つのロール交換用可動レール１１ａ〜１１ｄと、ロール交換用固定レール９ａ，９ｂとロール交換用可動レール１１ａ〜１１ｄの端部同士を水平な軸回りに連結する４つのレール連結軸１２ａ〜１２ｄと、レール連結軸１２ａ〜１２ｄを支点としてロール交換用可動レール１１ａ〜１１ｄをロール交換用固定レール９ａ，９ｂの中央部側に折り畳むレール折り畳み機構１３とを設けたことで、図５に示すように、ロール交換用可動レール１１ａ〜１１ｄをロール交換用固定レール９ａ，９ｂの中央部側に折り畳むことが可能となる。これにより、リンガーロール１ａ，１ｂの軸方向と直交する水平方向にロール交換台車７を移動させてもロール交換用可動レール１１ａ〜１１ｄが架構柱１０と干渉することがないので、ガイドレール８ａ，８ｂの両側に架構柱１０が配置されている場合でもリンガーロール１ａ，１ｂの交換作業を１台のロール交換台車７で行うことができる。
【００１８】
また、レール折り畳み機構１３のワイヤーロープ巻取機１４を操作してワイヤーロープ１５を巻き取ると、ロール交換用可動レール１１ａ〜１１ｄがレール連結軸１２ａ〜１２ｄを支点としてロール交換用固定レール９ａ，９ｂの中央部側に折り畳まれるため、ロール交換用可動レール１１ａ〜１１ｄの折り畳み作業を容易に行うことができる。
【００１９】
なお、上述した本実施形態では、ガイドレール８ａ，８ｂの両側に架構柱１０が存在しているため、ロール交換用固定レール９ａ，９ｂそれぞれの両側にロール交換用可動レールを配置しているが、架構柱１０がガイドレール８ａ，８ｂの一方側にのみ存在する場合は、ロール交換用固定レールの一方側のみにロール交換用可動レールを配置し、ロール交換用固定レールの他方側については、リンガーロールを載置可能な程度にロール交換用固定レールの長さを伸ばしておけばよい。
上述した本実施形態では、ロール交換装置４により交換されるロールとしてリンガーロールを例示したが、これに限られるものではなく、リンガーロール以外のロール（例えばダムロール等）を交換する場合にも本発明を適用することができる。
【符号の説明】
【００２０】
１，１ａ，１ｂ…リンガーロール
２…ロール軸受
３…ロール支持装置
４…ロール交換装置
５…ローラ
６ａ，６ｂ…ロール支持レール
７…ロール交換台車
８ａ，８ｂ…ガイドレール
９…ロール交換用レール
９ａ，９ｂ…ロール交換用固定レール
１０…架構柱
１１ａ，１１ｂ，１１ｃ，１１ｄ…ロール交換用可動レール
１２ａ，１２ｂ，１２ｃ，１２ｄ…レール連結軸
１３…レール折り畳み機構
１４…ワイヤーロープ巻取機
１５…ワイヤーロープ
１６…連結部材
【図１】
2013010980.tif 000003
【図２】
2013010980.tif 000004
【図３】
2013010980.tif 000005
【図４】
2013010980.tif 000006
【図５】
2013010980.tif 000007
【図６】
2013010980.tif 000008